(57)【特許請求の範囲】
【請求項１】
基板上に配設された固定接点（７１Ｍ）と、被駆動面（８２ａ）が形成された伏せ椀状の弾性可動部（８０）であってその内側に前記固定接点に対向する可動接点（８０Ｆ）が設けられた弾性可動部とから構成されたスイッチ体（８、２５）と、
前記スイッチ体の弾性可動部の被駆動面に対向する駆動面（１ａ、４２ａ）を有し、該駆動面と前記被駆動面とが略平行な状態で前記弾性可動部を駆動する駆動体（１）とを備えた鍵盤装置であって、
前記スイッチ体の弾性可動部の被駆動面に設けた複数の小突起部（８４）を前記駆動体の駆動面が押圧することで、前記駆動体により前記弾性可動部が駆動されるように構成したことを特徴とする鍵盤装置。
【請求項２】
基板上に配設された固定接点と、被駆動面が形成された伏せ椀状の弾性可動部であってその内側に前記固定接点に対向する可動接点が設けられた弾性可動部とから構成されたスイッチ体と、
前記スイッチ体の弾性可動部の被駆動面に対向する駆動面を有し前記弾性可動部を駆動する駆動体とを備えた鍵盤装置であって、
前記弾性可動部は上部が開口した筒状部（８２）を有し、前記被駆動面は前記筒状部の上部に形成され、前記筒状部の内側空間（８２ｂ）が前記上部の開口部分を除いて閉塞されており、
前記スイッチ体の弾性可動部の被駆動面に設けた複数の小突起部を前記駆動体の駆動面が押圧することで、前記駆動体により前記弾性可動部が駆動されるように構成したことを特徴とする鍵盤装置。
【請求項３】
被駆動面が形成された伏せ椀状の弾性可動部を有するスイッチ体と、
前記スイッチ体の弾性可動部の被駆動面に対向する駆動面を有し前記弾性可動部を駆動する駆動体とを備えた鍵盤装置であって、
前記スイッチ体の弾性可動部の被駆動面に設けた複数の小突起部を前記駆動体の駆動面が押圧することで、前記駆動体により前記弾性可動部が駆動されると共に、前記駆動体による前記弾性可動部の駆動を介して離鍵動作が検出されるように構成したことを特徴とする鍵盤装置。
【発明の詳細な説明】
【０００１】
【発明の属する技術の分野】
本発明は、伏せ椀状の可動部を有するスイッチ体の被駆動面を駆動体の駆動面で駆動して鍵操作等を検出するようにした鍵盤装置に関する。
【０００２】
【従来の技術】
従来、スイッチ体の被駆動面を駆動体の駆動面で駆動して押鍵動作等を検出するようにした鍵盤装置が知られている。この装置では、例えば、鍵または鍵に連動して回動するハンマ体を駆動体（アクチュエータ）とし、スイッチ部が有する伏せ椀状の弾性可動部を鍵等で駆動してスイッチングするようにしている。
【０００３】
図５は、このような従来の鍵盤装置におけるスイッチ部を示す図である。同図（ａ）はスイッチ部の外観斜視図、同図（ｂ）は縦断面図をそれぞれ示す。
【０００４】
このスイッチ部は固定部１００及び可動部１１０から成る。同図（ｂ）に示すように、固定部１００は、基板１０１と該基板１０１上に設けられた固定接点１０１Ｍとを有する。固定接点１０１Ｍは平面的にみて櫛歯状をした接点パターンである。
【０００５】
また、可動部１１０は、弾性樹脂でなり、スカート部１１１を有して上方に膨出しており、その上部は筒状部（以下、「クラウン部１１２」と称する）となっている。可動部１１０には、１メイク用の可動接点１１０Ｆが固定接点１０１Ｍに対向して設けられている。
【０００６】
押鍵操作により、クラウン部１１２の上面（天面）である被駆動面１１２ａに鍵（またはハンマ体でもよい）等のアクチュエータ１２０が当接し、クラウン部１１２が押圧力を受ける。クラウン部１１２が押圧されると、スカート部１１１が弾性変形（座屈）して、可動接点１１０Ｆが固定接点１０１Ｍに当接することで、例えば押鍵動作が検出される。
【０００７】
【発明が解決しようとする課題】
しかしながら、上記従来の鍵盤装置では一般に、特に接点型スイッチを構成する場合、図５（ｂ）に示すように、クラウン部１１２には、上部が開口しているがそれ以外（外筒や底部）では閉塞された内側空間（以下、「中空部１１２ｂ」と称する）が形成される。また、クラウン部１１２の被駆動面１１２ａ、及びアクチュエータ１２０のクラウン部１１２を駆動する駆動面１２０ａは通常、両者の円滑な当接を確保するべくいずれも段差等のない平面状に形成され、しかも被駆動面１１２ａ及び駆動面１２０ａの両者は当接時に互いに略平行な状態となるように設定される。そのため、両者の当接時には中空部１１２ｂの開口部が塞がれて中空部１１２ｂが略密閉状態となり、中空部１１２ｂ内部への空気の出入りが妨げられることになる。
【０００８】
これにより、例えば押鍵時等のように、アクチュエータ１２０がクラウン部１１２を押圧する駆動時には、中空部１１２ｂ内の空気が逃げられないことからクラウン部１１２が変形し、可動接点１１０Ｆが固定接点１０１Ｍに当接するタイミングが不適切となり、スイッチ動作の検出精度が悪化するという問題があった。
【０００９】
また、駆動時だけでなく、例えば離鍵等のように、アクチュエータ１２０がクラウン部１１２から離間しようとする押圧解除時には、既に中空部１１２ｂから空気がある程度押し出されていることから、クラウン部１１２の被駆動面１１２ａがアクチュエータ１２０の駆動面１２０ａに吸着ぎみになる。そのため、押離鍵動作等が繰り返されることで、両者の離接によるペチャペチャというような異音が発生し、楽器としての鍵盤装置にとってはそれが大きな不都合となるという問題があった。
【００１０】
さらに、上記スイッチ部にて離鍵動作を主に検出するように構成することがあるが、この場合、可動部１１０は、離鍵動作後、本来その弾性によって元の状態に復帰すべきところ、上記のような被駆動面１１２ａと駆動面１２０ａとの吸着作用により、可動接点１１０Ｆが固定接点１０１Ｍから離間するタイミングが不適切となり、離鍵動作の検出精度が悪化するという問題があった。特に、スイッチ部を離鍵動作の検出に用いることで、ピアノにおいてダンパで弦を抑えて消音する消音機構と消音タイミング（上下方向の位置制御によるもの）との関係と同様の関係を再現してピアノタッチレスポンスを実現しようとするピアノ志向鍵盤装置においては、高精度を要求される離鍵時におけるスイッチ部の挙動不良は特に有害であった。
【００１１】
一方、これらの不都合を解消するべく、クラウン部１１２の被駆動面１１２ａにスリットを設けたり、アクチュエータ１２０の駆動面１２０ａをざらざらにしたりして、中空部１１２ｂの空気流入を確保することも考えられる。しかしながら、そのようにすると、構成が複雑になるだけでなく、被駆動面と駆動面との円滑な当接が確保されず検出精度を維持するのが困難になるおそれがある。
【００１２】
本発明は上記従来技術の問題を解決するためになされたものであり、その目的は、簡単な構成で、異音の発生を抑えると共に駆動動作の検出精度を向上させることができる鍵盤装置を提供することにある。
【００１３】
【課題を解決するための手段】
上記目的を達成するために本発明の請求項１の鍵盤装置は、基板上に配設された固定接点（７１Ｍ）と、被駆動面（８２ａ）が形成された伏せ椀状の弾性可動部（８０）であってその内側に前記固定接点に対向する可動接点（８０Ｆ）が設けられた弾性可動部とから構成されたスイッチ体（８、２５）と、前記スイッチ体の弾性可動部の被駆動面に対向する駆動面（１ａ、４２ａ）を有し、該駆動面と前記被駆動面とが略平行な状態で前記弾性可動部を駆動する駆動体（１）とを備えた鍵盤装置であって、前記スイッチ体の弾性可動部の被駆動面に設けた複数の小突起部（８４）を前記駆動体の駆動面が押圧することで、前記駆動体により前記弾性可動部が駆動されるように構成したことを特徴とする。
【００１４】
この構成により、固定接点と、弾性可動部の内側に設けられた可動接点とで、例えば、押鍵動作等の駆動動作が検出される。駆動体による弾性可動部の駆動は、駆動体の駆動面とスイッチ体の弾性可動部の被駆動面とが略平行な状態でなされるが、その際、スイッチ体の弾性可動部の被駆動面には複数の小突起部が設けられていることから、駆動体による弾性可動部の駆動は、複数の小突起部を駆動体の駆動面が押圧することでなされる。
【００１５】
これにより、駆動体の駆動面によって弾性可動部が覆われる状態となったときでも、複数の小突起部の間隙が空気の流入路を確保することになり、駆動体による弾性可動部の駆動時に、弾性可動部側に完全に閉塞した密閉空間が生じることがない。従って、弾性可動部の挙動が円滑となって、押離鍵の速い繰り返しにおいても、可動接点が固定接点に離接するタイミングが適切となる。一方、駆動体による駆動解除時には、駆動体の駆動面が弾性可動部の被駆動面と吸着することなく速やかに離間できるので、両者の離接によるペチャペチャというような異音が発生しにくい。よって、簡単な構成で、異音の発生を抑えると共に駆動動作の検出精度を向上させることができる。
【００１６】
また、本発明の請求項２の鍵盤装置は、基板上に配設された固定接点と、被駆動面が形成された伏せ椀状の弾性可動部であってその内側に前記固定接点に対向する可動接点が設けられた弾性可動部とから構成されたスイッチ体と、前記スイッチ体の弾性可動部の被駆動面に対向する駆動面を有し前記弾性可動部を駆動する駆動体とを備えた鍵盤装置であって、前記弾性可動部は上部が開口した筒状部（８２）を有し、前記被駆動面は前記筒状部の上部に形成され、前記筒状部の内側空間（８２ｂ）が前記上部の開口部分を除いて閉塞されており、前記スイッチ体の弾性可動部の被駆動面に設けた複数の小突起部を前記駆動体の駆動面が押圧することで、前記駆動体により前記弾性可動部が駆動されるように構成したことを特徴とする。
【００１７】
この構成により、固定接点と、弾性可動部の内側に設けられた可動接点とで、例えば、押鍵動作等の駆動動作が検出される。弾性可動部は上部が開口した筒状部を有し、被駆動面は筒状部の上部に形成され、筒状部の内側空間が前記上部の開口部分を除いて閉塞されているので、駆動体により弾性可動部が駆動されるとき、筒状部の前記上部が駆動体の駆動面で覆われる状態となる。しかし、スイッチ体の弾性可動部の被駆動面には複数の小突起部が設けられていることから、駆動体による弾性可動部の駆動は、複数の小突起部を駆動体の駆動面が押圧することでなされる。
【００１８】
これにより、駆動体により弾性可動部が駆動されるとき、複数の小突起部の間隙が空気の流入路を確保することになり、筒状部の前記上部の開口部が完全に塞がれることがなく、弾性可動部側に完全に閉塞した密閉空間が生じることがない。従って、弾性可動部の挙動が円滑となって、押離鍵の速い繰り返しにおいても、可動接点が固定接点に離接するタイミングが適切となる。一方、駆動体による駆動解除時には、駆動体の駆動面が弾性可動部の被駆動面と吸着することなく速やかに離間できるので、両者の離接によるペチャペチャというような異音が発生しにくい。よって、簡単な構成で、異音の発生を抑えると共に駆動動作の検出精度を向上させることができる。
【００１９】
また、本発明の請求項３の鍵盤装置は、被駆動面が形成された伏せ椀状の弾性可動部を有するスイッチ体と、前記スイッチ体の弾性可動部の被駆動面に対向する駆動面を有し前記弾性可動部を駆動する駆動体とを備えた鍵盤装置であって、前記スイッチ体の弾性可動部の被駆動面に設けた複数の小突起部を前記駆動体の駆動面が押圧することで、前記駆動体により前記弾性可動部が駆動されると共に、前記駆動体による前記弾性可動部の駆動を介して離鍵動作が検出されるように構成したことを特徴とする。
【００２０】
この構成により、駆動体により、スイッチ体における伏せ椀状の弾性可動部が駆動され、駆動体による弾性可動部の駆動を介して離鍵動作が検出される。その際、スイッチ体の弾性可動部の被駆動面に複数の小突起部が設けられていることから、駆動体による弾性可動部の駆動は、複数の小突起部を駆動体の駆動面が押圧することでなされる。
【００２１】
これにより、駆動体の駆動面によって弾性可動部が覆われる状態となったときでも、複数の小突起部の間隙が空気の流入路を確保することになり、離鍵動作時、すなわち駆動体による駆動解除時に、弾性可動部側に完全に閉塞した密閉空間が生じることがない。従って、駆動体の駆動面と弾性可動部の被駆動面とが吸着することがなく、離鍵動作後、弾性可動部は基本的にその弾性によって元の状態に復帰する。そのため、弾性可動部の挙動が円滑となって、押離鍵の速い繰り返しにおいても、可動接点が固定接点から離間するタイミングが適切となることから、離鍵動作を適切に検出することができる。また、駆動面と被駆動面との吸着作用が少ないことから、両者の離接によるペチャペチャというような異音も発生しにくくなる。よって、簡単な構成で、異音の発生を抑えると共に離鍵動作の検出精度を向上させることができる。
【００２２】
なお、上記各請求項において、小突起部は、被駆動面において３個以上放射状に設けるのが好ましく、特に均等間隔で設けるのがより好ましい。これにより、弾性可動部が傾いたりすることなく駆動力が適切に伝達される。
【００２３】
また、上記各請求項において、駆動体は例えば鍵であって、鍵を木質鍵としてもよい。被駆動面側で空気抜け機構が構成されることから、鍵下面やアクチュエータ部をざらざらにして空気抜き機構を設ける必要がなく、鍵長手方向に沿う幅が一様な構成も使用しやすい。このように木製での製造にも適しており、鍵の精度を確保しやすく、構成を簡単にすることができる。
【００２４】
【発明の実施の形態】
以下、本発明の実施の形態を図面を参照して説明する。
【００２５】
図１は、本発明の一実施の形態に係る鍵盤装置の部分縦断面図である。同図では、上ケースや蓋体等は省略されている。なお、以下、本鍵盤装置の演奏者側（同図左方）を前方、演奏者からみて鍵後端方向（同図右方）を後方とそれぞれ称する。
【００２６】
本装置は、例えば電子鍵盤楽器として構成され、押鍵操作されるシーソー型の鍵１（駆動体）（白鍵１Ｗ及び黒鍵１Ｂ）と、質量体支持部材２０と、該支持部材２０によって回動自在に支持され鍵１によって駆動されて回動する質量体４０とを有する。質量体４０は、白鍵１Ｗ及び黒鍵１Ｂの各々に対応して設けられ、質量配分等を除きいずれも同様に構成される。支持部材２０は、例えば１オクターブ毎に構成される。
【００２７】
棚板２上には鍵フレーム１０が設けられている。鍵フレーム１０上には鍵支持部３が設けられ、鍵支持部３には支点ピン６（白鍵用支点ピン６Ｗ、黒鍵用支点ピン６Ｂ）が各鍵１に対応して突設されている。各鍵１Ｗ、１Ｂにはそれぞれ支点穴１Ｗａ、１Ｂａが設けられている。支点穴１Ｗａ、１Ｂａはいずれも、下方に向かって縮径している。各鍵１の鍵盤装置本体への組み付け（鍵フレーム１０を介した棚板２への取り付け）時には、支点ピン６が支点穴１Ｗａ、１Ｂａを貫通し、これにより、各鍵１の鍵並び方向及び鍵長手方向の位置が規制されると共に、各鍵１が鍵支持部３によって押離鍵方向に回動自在に支持される。各鍵１の後端部上面には、ラバーが貼着され、このラバーが貼着された部分は後述する質量体４０の発音位置調整ネジ４１と当接して質量体４０を駆動する駆動部９として機能する。
【００２８】
鍵フレーム１０の前部には、押鍵ストッパ４（白鍵用押鍵ストッパ４Ｗ、黒鍵用押鍵ストッパ４Ｂ）及びキーガイド５（白鍵用キーガイド５Ｗ、黒鍵用キーガイド５Ｂ）が各鍵１毎に設けられている。押鍵ストッパ４は鍵１と当接して鍵１の押鍵の回動終了位置を規制する。キーガイド５は、鍵１の回動時における鍵並び方向への揺動を抑制する。
【００２９】
鍵フレーム１０上における押鍵ストッパ４、キーガイド５の後方であって鍵支持部３の前方には、スイッチ基板７が設けられ、該スイッチ基板７には各鍵１毎に第１の鍵スイッチ８（スイッチ体）が設けられている。第１の鍵スイッチ８は鍵１の離鍵動作を検出する。
【００３０】
質量体支持部材２０は、棚板２上における鍵１の後端部近傍に設けられている。支持部材２０の前部には、非押鍵時用ストッパ２１が各鍵１毎に設けられており、非押鍵時用ストッパ２１は、鍵１と当接して鍵１の押鍵の開始位置（図１）、すなわち非押鍵時の位置を規制する。支持部材２０の後部には、質量体用ストッパ２２が各質量体４０毎に設けられている。質量体用ストッパ２２は、質量体４０の当接部４４と当接して、押鍵に伴う質量体４０の回動の終了位置を規制すると共に、緩衝機能を果たす。
【００３１】
支持部材２０にはさらに、スイッチ基板２３が設けられる。スイッチ基板２３は、複数の支持部材２０に対応、例えば全鍵に対応して設けられ、ネジ２４によって支持部材２０に固定されている。スイッチ基板２３上には第２の鍵スイッチ２５（スイッチ体）が各質量体４０毎に設けられている。第２の鍵スイッチ２５は、質量体４０によって押下され、鍵１の押鍵動作を間接的に検出する。
【００３２】
質量体４０は、適当な押鍵感触を得るために設けられる。質量体４０は、支持部材２０の回動軸部３２によって回動自在に支持される。
【００３３】
質量体４０は、軸受け部４５から前方に延びる前方延設部４０Ａと、軸受け部４５から後方に延びる後方延設部４０Ｂとから構成される。質量体４０は、前方延設部４０Ａの方が後方延設部４０Ｂよりも重く設定されている。従って、鍵１が組み付けられた後は、非押鍵状態及び押鍵初期には鍵１の駆動部９と常に当接し、鍵１と質量体４０とが連動状態となる。なお、押鍵態様によっては押鍵行程途中から質量体４０が鍵１の駆動部９から離間する場合がある。
【００３４】
後方延設部４０Ｂの下面には、アクチュエータ４２（駆動体）が設けられ、アクチュエータ４２は、質量体４０の回動に伴い支持部材２０の鍵スイッチ２５を押圧する。後方延設部４０Ｂの後端部下面には、当接部４４が形成されている。当接部４４は、質量体４０の回動によって支持部材２０の質量体用ストッパ２２に当接する。
【００３５】
延設部４０Ａには発音位置調整ネジ４１が設けられている。発音位置調整ネジ４１の下端部である頭部４１ａは、押鍵時に鍵１の駆動部９と当接して押鍵による駆動力を質量体４０に伝達し、これによって質量体４０が回動する。
【００３６】
図２は、本実施の形態の鍵盤装置において楽音発生を実現するための機能構成を示すブロック図である。
【００３７】
第２の鍵スイッチ２５は押鍵イベント検出部５１及び押鍵タッチ検出部５２に接続され、押鍵イベント検出部５１及び押鍵タッチ検出部５２はキーオン楽音発生部５５に接続されている。一方、第１の鍵スイッチ８は、離鍵イベント検出部５３及び離鍵タッチ検出部５４に接続され、離鍵イベント検出部５３及び離鍵タッチ検出部５４はキーオフ楽音発生部５６に接続されている。キーオン楽音発生部５５及びキーオフ楽音発生部５６はミキシング部（ＭＩＸ）５７を介してサウンドシステム（ＳＳ）５８に接続されている。
【００３８】
後述するように、第２の鍵スイッチ２５及び第１の鍵スイッチ８はいずれも２メイク式になっており、第２の鍵スイッチ２５では、キーオンイベントだけでなくタッチ（オンベロシティ）も検出される。また第１の鍵スイッチ８ではキーオフイベントだけでなくタッチ（オフベロシティ）も検出される。
【００３９】
かかる機能構成において、第２の鍵スイッチ２５の出力信号に基づき押鍵イベント検出部５１及び押鍵タッチ検出部５２により押鍵イベント（キーオンイベント）及び押鍵タッチ（オンベロシティ）がそれぞれ検出され、これらの検出信号がキーオン楽音発生部５５に入力される。一方、第１の鍵スイッチ８の出力信号に基づき離鍵イベント検出部５３及び離鍵タッチ検出部５４により離鍵イベント（キーオフイベント）及び離鍵タッチ（オフベロシティ）がそれぞれ検出され、これらの検出信号がキーオフ楽音発生部５６に入力される。そして、キーオン楽音発生部５５からミキシング部５７を介して入力される発音指示信号に基づき、サウンドシステム５８で楽音が発生される。一方、キーオフ楽音発生部５６からミキシング部５７を介して入力される消音指示信号に基づき、サウンドシステム５８で消音がなされる。
【００４０】
このように、鍵１を押鍵すると、第２の鍵スイッチ２５でそれが検出されて発音処理がなされ、離鍵すると第１の鍵スイッチ８でそれが検出されて消音処理がなされる。
【００４１】
図３は、第１の鍵スイッチ８の分解斜視図を示す図である。同図では、隣接する第１の鍵スイッチ８を２つ表しているが、他の第１の鍵スイッチ８も同様に構成される。図４は、第１の鍵スイッチ８の縦断面図である。
【００４２】
各第１の鍵スイッチ８は、可動部８０（弾性可動部）と固定部７０を含む。可動部８０は、ベース体である可動接点シート８３と一体に、弾性合成樹脂で伏せ椀状に形成されている。固定部７０は、基板７及び基板７上に設けられた固定接点７１Ｍでなる。可動接点シート８３を基板７に貼着することで第１の鍵スイッチ８が作製される。
【００４３】
図３に示すように、固定接点７１Ｍには１メイク用及び２メイク用があり、外側のパターンが１メイク用の固定接点７１Ｍ１、内側のパターンが２メイク用固定接点７１Ｍ２である。固定接点７１Ｍ１、７１Ｍ２は平面的にみてそれぞれ波状、櫛歯状をした接点パターンとして敷設されている。固定接点７１Ｍ１は波状ラインの一方がアースラインＬＧに、他方がラインＬ１に接続されている。固定接点７１Ｍ２は櫛歯状ラインの一方がアースラインＬＧに、他方がラインＬ２に接続されている。
【００４４】
図４に示すように、可動部８０は、スカート部８１を有して上方に膨出しており、その上部は筒状部（以下、「クラウン部８２」と称する）となっている。クラウン部８２が筒状になっているのは、スイッチ動作の緩衝体としての機能を果たすためである。可動部８０の内側には、１メイク用の可動接点８０Ｆ１が固定接点７１Ｍ１に対向し、２メイク用の可動接点８０Ｆ２が固定接点７１Ｍ２に対向して設けられている。正面（下方）からみて、可動接点８０Ｆ１はドーナツ状、可動接点８０Ｆ２は円状である。
【００４５】
クラウン部８２は、上部が開口しており、クラウン部８２の上面（天面）８２ａ（被駆動面）はドーナツ状になっている。クラウン部８２はこのような形状を成すことから、クラウン部８２には、開口した上部以外（外筒や底部）では閉塞された内側空間（以下、「中空部８２ｂ」と称する）が形成される。
【００４６】
クラウン部８２の上面８２ａには、錐状の小突起部８４が複数（例えば８個）設けられている。小突起部８４は、上面８２ａの全周において、互いに適当な間隙を保って均等間隔に設けられ、可動部８０と一体に形成されている。なお、鍵１の駆動面１ａは、押離鍵時にはクラウン部８２の上面８２ａと略平行な状態となる。
【００４７】
かかる構成において、まず、第２の鍵スイッチ２５による押鍵動作検出を説明する。なお、図示はしないが、第２の鍵スイッチ２５も第１の鍵スイッチ８と同様に構成される。便宜上、第２の鍵スイッチ２５における第１の鍵スイッチ８に対応する要素には、第１の鍵スイッチ８と同一番号を用いて説明する。
【００４８】
鍵１を押鍵すると、これに連動して質量体４０が回動し、アクチュエータ４２の下面４２ａ（駆動面）が小突起部８４の先端に当接する。そして、クラウン部８２は、複数の小突起部８４を介してアクチュエータ４２から押圧力を受け、スカート部８１が弾性変形（座屈）して、可動接点８０Ｆ１が固定接点７１Ｍ１に当接し、それに続いて可動接点８０Ｆ２が固定接点７１Ｍ２に当接する。可動接点８０Ｆ２の当接により鍵１のキーオンイベントが検出され、可動接点８０Ｆ１と可動接点８０Ｆ２との接点時間差からオンベロシティが検出される。
【００４９】
小突起部８４に相当するものがない従来のスイッチでは、アクチュエータ４２はクラウン部８２の上面８２ａを押圧することになるが、本実施の形態では、小突起部８４が介在するので、アクチュエータ４２は小突起部８４に当接し、クラウン部８２の上面８２ａに当接することがない。
【００５０】
これにより、アクチュエータ４２による可動部８０の駆動時において、アクチュエータ４２の下面４２ａとクラウン部８２の上面８２ａとの間に小突起部８４が介在することで、小突起部８４間の間隙から空気が自由に出入りでき、中空部８２ｂが完全に閉塞した密閉空間になってしまうことが防止される。従って、中空部８２ｂの内圧増加によるクラウン部８２の不都合な変形が防止される。一方、離鍵時においては、アクチュエータ４２の下面４２ａとクラウン部８２の上面８２ａとが吸着することなく、アクチュエータ４２がクラウン部８２から速やかに離間する。これらにより、可動部８０の挙動が円滑となって、可動接点８０Ｆが固定接点７１Ｍに当接するタイミングが適切となり、スイッチ動作の検出精度が維持される。
【００５１】
また、アクチュエータ４２の下面４２ａとクラウン部８２の上面８２ａとの吸着作用が抑制されることから、両者の離接によるペチャペチャというような異音の発生も回避される。
【００５２】
次に第１の鍵スイッチ８による離鍵動作検出を説明する。鍵１を押鍵すると、鍵１の駆動面１ａが小突起部８４の先端に当接する。そして、クラウン部８２は、複数の小突起部８４を介してアクチュエータ４２から押圧力を受け、スカート部８１が弾性変形して、可動接点８０Ｆ１が固定接点７１Ｍ１に当接し、それに続いて可動接点８０Ｆ２が固定接点７１Ｍ２に当接する。
【００５３】
この状態で押鍵を解除、すなわち離鍵動作をすると、まず可動接点８０Ｆ２が固定接点７１Ｍ２と離間し、続いて可動接点８０Ｆ１が固定接点７１Ｍ１と離間する。これらの離間の時間差（接点時間差）から所定のテーブルを用いて求めた離鍵速度に対応した離鍵カーブ（エンベロープ）に従って、キーオフ波形を順次読み出していく。そして、エンベロープ値が０近傍の所定のスレッショルド値を下回ったとき、オールオフとされる。
【００５４】
鍵１の駆動面１ａとクラウン部８２の上面８２ａとの間に小突起部８４が介在することで、小突起部８４間の間隙から空気が自由に出入りでき、中空部８２ｂが完全に閉塞した密閉空間になってしまうことが防止される。従って、離鍵動作時に、鍵１の駆動面１ａとクラウン部８２の上面８２ａとが吸着することなく、離鍵動作後、可動部８０は基本的にその弾性によって元の状態に復帰することができる。すなわち、離鍵の速さによらず常に均一な速度で復帰する。従って、離鍵時における可動部８０の挙動が円滑となって、可動接点８０Ｆが固定接点７１Ｍから離間するタイミングが適切となることから、離鍵動作を適切に検出することができる。また、上記の第２の鍵スイッチ２５の場合と同様に、鍵１の駆動面１ａとクラウン部８２の上面８２ａとの吸着作用が少ないことから、押離鍵の速い繰り返しにおいても、両者の離接によるペチャペチャというような異音の発生が回避される。
【００５５】
本実施の形態によれば、クラウン部８２の上面８２ａに複数の小突起部８４を設けたことで、複数の小突起部８４の間隙が、中空部８２ｂ内と外との空気の流入路を確保することになり、押離鍵時において、中空部８２ｂが密閉空間とならない、すなわち、可動部８０側に完全に閉塞した密閉空間が生じることがないことから、可動部８０の挙動が円滑となって、押離鍵の速い繰り返しにおいても、可動接点８０Ｆが固定接点７１Ｍに離接するタイミングを適切にすることができる。また、駆動面と被駆動部との吸着作用が抑制されることから、両者の離接によるペチャペチャというような異音の発生も抑制することができる。
【００５６】
また、可動部８０側の構成で中空部８２ｂの空気流入を確保できるので、鍵１の駆動面１ａやアクチュエータ部をざらざらにして空気抜き機構を設ける必要がなく、木製での製造に適している。すなわち、アコースティックピアノの鍵盤を何ら加工することなく、電子楽器の鍵盤に使用することができる。さらに、鍵１の駆動面１ａは、面一に、しかも鍵長手方向に沿う幅を一様にできるので、鍵１の精度を確保しやすい。これらから、構成を簡単にすることができる。
【００５７】
しかも、小突起部８４はクラウン部８２の上面８２ａにスリット等を設ける場合に比し、剛性面で有利であり、被駆動部と駆動面との円滑な当接を確保しやすく、駆動動作の検出精度を維持しやすい。
【００５８】
よって、簡単な構成で、異音の発生を抑えると共に押鍵及び離鍵動作の検出精度を向上させることができる。
【００５９】
特に、離鍵動作の検出ではより高い精度が要求されるが、第１の鍵スイッチ８では、小突起部８４が離鍵動作によって伸び縮みするということがないため、ストローク方向の可動接点８０Ｆの位置が正確となり、高い検出精度を実現することが可能となる。この利点は速い押離鍵の繰り返しにおいて一層大きい。
【００６０】
なお、本実施の形態では、第１の鍵スイッチ８で離鍵動作、第２の鍵スイッチ２５で押鍵動作をそれぞれ検出するようにしたが、これに限るものではない。例えば、第１の鍵スイッチ８または第２の鍵スイッチ２５のいずれか１個のスイッチで押鍵、離鍵の双方を検出するようにしてもよい。その場合、図３の例でいえば、ラインＬ２を押鍵イベントのライン、ラインＬ１を離鍵イベントのラインとすればよい。また、タッチ検出をしない構成であれば、各鍵スイッチは１メイク式としてもよい。その場合は、可動接点８０Ｆ２と固定接点７１Ｍ２との組みのみを設け、ラインＬ２に相当するラインを押鍵または離鍵イベントのラインとすればよい。
【００６１】
なお、小突起部８４を設ける構成は、離鍵動作を検出するスイッチにのみ適用するようにしてもよい。また、小突起部８４の形状は、互いの間隙で空気流入を確保できれば足り、例示した錐状に限るものではない。また、小突起部８４はクラウン部８２の上面８２ａにおいて３個以上設けるのが好ましく、しかも放射状に、均等間隔で設けるのがより好ましい。これにより、クラウン部８２が傾いたりすることなく駆動力が適切に伝達される。
【００６２】
【発明の効果】
以上説明したように、本発明の請求項１に係る鍵盤装置によれば、簡単な構成で、異音の発生を抑えると共に駆動動作の検出精度を向上させることができる。
【００６３】
本発明の請求項２に係る鍵盤装置によれば、簡単な構成で、異音の発生を抑えると共に駆動動作の検出精度を向上させることができる。
【００６４】
本発明の請求項３に係る鍵盤装置によれば、簡単な構成で、異音の発生を抑えると共に離鍵動作の検出精度を向上させることができる。
【図面の簡単な説明】
【図１】  本発明の一実施の形態に係る鍵盤装置の部分縦断面図である。
【図２】  本実施の形態の鍵盤装置において楽音発生を実現するための機能構成を示すブロック図である。
【図３】  第１の鍵スイッチ８の分解斜視図を示す図である。
【図４】  第１の鍵スイッチ８の縦断面図である。
【図５】  従来の鍵盤装置におけるスイッチ部の外観斜視図（同図（ａ））及び縦断面図（同図（ｂ））を示す図である。
【符号の説明】
１  鍵（駆動体）、  １ａ  駆動面、  ３  鍵支持部、  ７  スイッチ基板、８  第１の鍵スイッチ（スイッチ体）、  １０  鍵フレーム、  ２０  質量体支持部材、  ２３  スイッチ基板、  ２５  第２の鍵スイッチ（スイッチ体）、４０  質量体、  ４２  アクチュエータ（駆動体）、  ４２ａ  下面（駆動面）、  ７０  固定部、  ７１Ｍ  固定接点、  ８０  可動部（弾性可動部）、  ８０Ｆ  可動接点、  ８２  クラウン部（筒状部）、  ８２ａ  上面（被駆動面）、  ８２ｂ  中空部（内側空間）、  ８４  小突起部
【図１】
0003644382.tif 000002
【図２】
0003644382.tif 000003
【図３】
0003644382.tif 000004
【図４】
0003644382.tif 000005
【図５】
0003644382.tif 000006